(57)【要約】      （修正有）【課題】複数の方向に方向付けることができ、種々の位置から露出し、および隠すことができ、鉛直および水平の回転軸周りに回転する標的を提供する。【解決手段】標的装置１は携帯用ケース２と、携帯用ケース２内に収容される駆動部とを備えている。駆動部は、標的７Ａを携帯用ケース２に関し回転するため駆動軸４に接続するように、携帯用ケース２の側６にあるアクセス用窓５を介しアクセス可能な駆動軸４を有している。携帯用ケース２は、標的装置１が使用されているとき、標的７Ａを安定的に支持する。【選択図】図１
0003164121.tif 000002
【実用新案登録請求の範囲】
【請求項１】
標的装置は、
互いに実質的に直交する第１壁および第２壁と、前記第１壁に実質的に平行であり前記第２壁に垂直である第３壁とからなる外壁と、携帯用ケースが内部にアクセスするための開放位置まで開放可能であり、また前記内部に配設された部品を固定するための閉塞位置まで閉塞することができる内部体積とを有する携帯用ケースと、
前記携帯用ケースの内部体積内に収容され、前記携帯用ケースの第３壁内にあるアクセス用窓を介しアクセス可能な駆動軸を有する電気的に駆動される駆動部と、
前記携帯用ケースに対して、前記駆動軸により回転するため前記携帯用ケースの外側で前記駆動軸上に取り外し可能に配設された標的と、
を備え、
前記携帯用ケースは、前記第１または第２壁で支持されるとき、前記標的が前記駆動軸上に配設され駆動軸により回転される際に前記標的を安定的に支持し、
前記標的は、前記駆動軸上に配設されていないときのみ前記携帯用ケースの内部体積内に収容され、前記携帯用ケースが前記閉塞位置にあることを特徴とする標的装置。
【請求項２】
前記標的は、
交換可能な標的板と、
前記交換可能な標的板を保持し、前記携帯用ケースの駆動軸上に取り外し可能に配設された標的保持部と、
を備えたことを特徴とする請求項１に記載の標的装置。
【請求項３】
前記携帯用ケースの第１壁が水平面上に支持されているときには、前記駆動軸は実質的に鉛直であり、前記標的は前記駆動軸に配設されている際に鉛直軸周りに前記駆動軸により回転することができ、
前記携帯用ケースの第２壁が水平面上に支持されているときには、前記駆動軸は実質的に水平であり、前記標的は前記駆動軸に配設されている際に水平軸周りに前記駆動軸により回転することができることを特徴とする請求項１に記載の標的装置。
【請求項４】
前記標的は、実質的に平面的な標的面を有し、
前記標的面が射撃位置から視野の境界線に実質的に垂直であり、前記射撃位置から視認することができる露出位置と、
前記標的面が射撃位置から視野の境界線に実質的に平行であり、前記射撃位置から視認することができない隠蔽位置と、
の間を回転することができ、
前記携帯用ケースの第１壁が水平面上に支持されているときには、前記標的面が前記露出位置と隠蔽位置の両方において実質的に鉛直であり、
前記携帯用ケースの第２壁が水平面上に支持されているときには、前記標的面が前記露出位置において実質的に鉛直であり、前記隠蔽位置において実質的に水平であることを特徴とする請求項３に記載の標的装置。
【請求項５】
前記駆動軸は前記携帯用ケースの内部体積内に全体的に収容され、前記アクセス用窓を備えた携帯用ケースの前記第３壁が実質的に平面であることを特徴とする請求項１に記載の標的装置。
【請求項６】
前記駆動軸は、前記アクセス用窓を介し前記第３壁を超えて、前記携帯用ケースの外方に向かって突出し、
前記標的装置は、前記携帯用ケースの外側で前記アクセス用窓の周りに、前記携帯用ケースの第３壁上に設けられ、前記携帯用ケースの第３壁から少なくとも前記駆動軸の範囲で突出し前記駆動軸を保護している保護カラーを備えていることを特徴とする請求項１に記載の標的装置。
【請求項７】
前記駆動部は駆動制御装置と電気モータを備え、前記駆動制御装置はユーザの命令に応えて前記駆動軸を回転させるため、前記モータを制御することを特徴とする請求項１に記載の標的装置。
【請求項８】
前記駆動制御装置は、無線の指令信号を受信し、
前記標的装置はユーザの命令を受信し、かつ、前記駆動制御装置により受信するため対応する無線の指令信号を送信する遠隔制御装置を備えていることを特徴とする請求項７に記載の標的装置。
【請求項９】
前記駆動制御装置は、複数の周波数帯域で無線の指令信号を受信するように構成され、
前記無線の指令信号を受信するため１つの前記周波数帯域を選択する周波数帯域選択スイッチを備えていることを特徴とする請求項８に記載の標的装置。
【請求項１０】
前記遠隔制御装置は、複数の周波数帯域で無線の指令信号を送信するように構成され、
前記無線の指令信号を送信するため１つの前記周波数帯域を選択する周波数帯域選択スイッチを備えていることを特徴とする請求項８に記載の標的装置。
【請求項１１】
前記遠隔制御装置は、該遠隔制御装置に最も近い動きを検出し、検出した動きに応じて前記駆動制御装置に無線の指令信号を送信するＰＩＤセンサを備えていることを特徴とする請求項８に記載の標的装置。
【請求項１２】
前記電気的に駆動される駆動部は、前記駆動軸の２つの個々の回転位置を検出し、かつ、前記駆動制御装置に対応する信号を送信する２つのポジションセンサを備えていることを特徴とする請求項７に記載の標的装置。
【請求項１３】
前記ポジションセンサは、ホールセンサであることを特徴とする請求項１２に記載の標的装置。
【考案の詳細な説明】
【技術分野】
【０００１】
本考案は標的装置に関し、特に、拳銃やライフル銃のような銃器用の標的を射撃する際に使用するための標的装置に関する。本考案を特定の用途を参照しながら説明するが、本考案はそのような用途に限定されるものではないことを理解すべきである。
【背景技術】
【０００２】
以前の標的装置は、従来の射撃練習場に設置された標的装置を包含する。しかし、これらの標的装置は恒久的に据え付けられており、一般的には大型の設置物である。従って、これら標的装置は射手のため設けられる場所や環境の種類、および標的装置を利用することができる配置に関し限定される。
【０００３】
他のより小さな標的装置は同様の限定を有している。これらの標的装置は一般的には、使用中に十分な安定を確保するための厄介なフレームを備えている。これらのフレームは通常、使用前には組立てること、および使用後には分解することを要求され、また標的装置が設置される表面に応じて調節することが必要である。従って、これらの型式の標的装置は野原での搬送および配置が困難であり、これにより、標的装置を据え付けることができる場所や環境の種類および標的装置を利用することができる配置に関し限定される。
【０００４】
一例では、駆動及び制御装置を収納する本体箱を備えている。標的および標的保持部は、前記本体箱の側から延びる駆動部の軸に取り付けられている。長い金属棒状の脚部が、水平方向に前記本体箱から地面に接触する個々の調整可能な足まで延びている。使用後、標的保持部と脚部は標的装置が効果的に搬送され保管される前に、本体箱から分解される必要がある。本体箱、標的保持部および脚部は別々に搬送または保管されるので、標的装置の特定の構成要素が分離、損傷または紛失するリスクを伴って搬送の間、より多くの対処を必要とする。
【考案の概要】
【考案が解決しようとする課題】
【０００５】
本考案の目的は、従来技術の少なくとも１つの不都合を克服若しくは改善することであり、または有益な代案を提供することである。
【課題を解決するための手段】
【０００６】
本考案によれば、互いに実質的に直交する第１壁および第２壁と、前記第１壁に実質的に平行であり前記第２壁に垂直である第３壁からなる外壁および内部体積を有する携帯用ケースを備えた標的装置が設けられている。前記携帯用ケースは、前記内部体積にアクセスするための開放位置まで開放可能であり、また前記内部体積内に配設された部品を固定するための閉塞位置まで閉塞することができる。前記携帯用ケースの内部体積内に収容された電気的に駆動される駆動部が設けられており、前記駆動部は、携帯用ケースの第３壁内にあるアクセス用窓を介しアクセス可能な駆動軸を有している。前記携帯用ケースに対して駆動軸により回転するため、携帯用ケースの外側で駆動軸上に取り外し可能に配設された標的もまた含まれている。携帯用ケースは、前記第１または第２壁で支持されるとき、前記標的が前記駆動軸上に配設され駆動軸により回転される際に前記標的を安定的に支持している。前記標的は、駆動軸上に配設されていないときのみ前記携帯用ケースの内部体積内に収容され、前記携帯用ケースが閉塞位置にある。
【０００７】
前記標的は、交換可能な標的板と、前記交換可能な標的板を保持し、前記携帯用ケースの駆動軸上に取り外し可能に配設された標的保持部と、を備えたことが好ましい。
【０００８】
前記携帯用ケースの第１壁が水平面上に支持されているときには、前記駆動軸は実質的に鉛直であり、前記標的は前記駆動軸に配設されている際に鉛直軸周りに前記駆動軸により回転することができるのが好ましい。前記携帯用ケースの第２壁が水平面上に支持されているときには、前記駆動軸は実質的に水平であり、前記標的は前記駆動軸に配設されている際に水平軸周りに前記駆動軸により回転することができる。
【０００９】
前記標的は、実質的に平面的な標的面を有し、前記標的面が、射撃位置から視野の境界線に実質的に垂直であり、前記射撃位置から視認することができる露出位置と、前記標的面が、射撃位置から視野の境界線に実質的に平行であり、前記射撃位置から視認することができない隠蔽位置と、の間を回転することができるのが好ましい。前記携帯用ケースの第１壁が水平面上に支持されているときには、前記標的面が前記露出位置と隠蔽位置の両方において実質的に鉛直であり、前記携帯用ケースの第２壁が水平面上に支持されているときには、前記標的面が前記露出位置において実質的に鉛直であり、前記隠蔽位置において実質的に水平である。
【００１０】
１つの実施形態において、前記駆動軸は前記携帯用ケースの内部体積内に全体的に収容され、前記アクセス用窓を備えた携帯用ケースの前記第３壁は実質的に平面であることが好ましい。
【００１１】
他の実施形態において、前記駆動軸は、前記アクセス用窓を介し前記第３壁を超えて、前記携帯用ケースの外方に向かって突出する。前記標的装置は、前記携帯用ケースの外側で前記アクセス用窓の周りに、前記携帯用ケースの第３壁上に設けられ、前記携帯用ケースの第３壁から少なくとも前記駆動軸の範囲で突出し前記駆動軸を保護している保護カラーを備えている。
【００１２】
前記駆動部は駆動制御装置と電気モータを備え、前記駆動制御装置はユーザの命令に応えて前記駆動軸を回転させるため、前記モータを制御することが好ましい。
【００１３】
前記駆動制御装置は、無線の指令信号を受信し、前記標的装置はユーザの命令を受信し、かつ、前記駆動制御装置により受信するため対応する無線の指令信号を送信する遠隔制御装置を備えていることが好ましい。
【００１４】
前記駆動制御装置は、複数の周波数帯域で無線の指令信号を受信するように構成され、前記無線の指令信号を受信するため１つの前記周波数帯域を選択する周波数帯域選択スイッチを備えていることが更に好ましい。
【００１５】
前記遠隔制御装置は、複数の周波数帯域で無線の指令信号を送信するように構成され、前記無線の指令信号を送信するため１つの前記周波数帯域を選択する周波数帯域選択スイッチを備えていることが好ましい。
【００１６】
前記遠隔制御装置は、該遠隔制御装置に最も近い動きを検出し、検出した動きに応じて前記駆動制御装置に無線の指令信号を送信するＰＩＤセンサを備えていることが更に好ましい。
【００１７】
前記電気的に駆動される駆動部は、前記駆動軸の２つの個々の回転位置を検出し、かつ、前記駆動制御装置に対応する信号を送信する２つのポジションセンサを備えていることが好ましい。
【００１８】
前記ポジションセンサは、ホールセンサであることが好ましい。
【００１９】
本考案の最良の形態による好適な実施形態を例示のみにより、添付図面を参照しながら説明する。
【図面の簡単な説明】
【００２０】
【図１】第１方向で露出位置にある第１標的を示す本考案に係る標的装置の斜視図である。
【図２】隠蔽位置にある第１標的を示す図１の標的装置の斜視図である。
【図３】標的を取り外した図１の標的装置の斜視図である。
【図４】第２方向で露出位置にある第２標的を示す図１の標的装置の斜視図である。
【図５】隠蔽位置にある第２標的を示す図４の標的装置の斜視図である。
【図６】標的を取り外した図４の標的装置の斜視図である。
【図７】標的装置の構成部品が携帯用ケースの内側に格納された状態で開放形態にある標的装置の携帯ケースを示す図１の標的装置の斜視図である。
【図８】図７の標的装置の平面図である。
【図９】閉塞状態にある標的装置の携帯用ケースを示す図１の標的装置の斜視図である。
【図１０】アクセス用窓と駆動軸を示す図９の標的装置の側面図である。
【図１１】駆動軸を囲み携帯用ケースの側から突出している保護カラーを示す。
【図１２】図３の標的装置のＸ−Ｘ線断面図である。
【図１３】駆動制御装置を遠隔操作するために標的装置に包含された遠隔制御装置の斜視図である。
【図１４】遠隔制御装置の種々の部分とこれら部分間の相互作用を示す図１３の遠隔制御装置の機能ブロック図である。
【図１５】駆動部の種々の部分とこれら部分間の相互作用を示す図１の標的装置を駆動する機能ブロック図である。
【考案を実施するための形態】
【００２１】
図面を参照すると、標的装置１は携帯用ケース２と、携帯用ケース２の内部に収容された駆動部３とを備えている。携帯用ケース２はヒンジ接続された蓋１１を有する大きな手提げかばんに似ており、この蓋１１は閉じて本体１２にロックすることができる。本体１２は、ケース２全体の搬送／取り扱いを容易にする取っ手１３を有している。
【００２２】
一般的に、携帯用ケース２は６つの外壁を有する矩形状の箱であり、互いに実質的に垂直な第１壁（例えば２つの主要壁のうちの１つ）と第２壁（例えば２つの端壁のうち１つ）、および側壁６として後で参照する実質的に第１壁に平行で第２壁に垂直な第３壁（例えば他の主要壁）を備えている。内部体積を規定する携帯用ケース２は開放位置まで開放して内部体積にアクセスすることができ、また閉塞位置まで閉じて内部体積に配置された機器を固定することができる。
【００２３】
駆動部３は、標的７Ａまたは７Ｂが携帯用ケース２に関し回転するための駆動軸に接続または配設可能であるように、携帯用ケース２の側壁６にあるアクセス用窓５を介して接続することができる駆動軸４を有している。携帯用ケース２は、標的装置１の使用中に個々の標的７Ａと７Ｂを安定的に支持している。
【００２４】
携帯用ケース２は、開放することができ、かつしっかりと再密閉することができ、また標的装置１の構成部品を収容する内部体積の一部として収納スペース８を有するので、標的装置が使用されていないときは内蔵型の携帯用ケースである。
【００２５】
本実施形態では、標的装置１は標的７Ａと７Ｂをそれぞれ保持する２つの標的保持部９Ａと９Ｂを有している。標的保持部９Ａと９Ｂは標的７Ａと７Ｂの一部であり、図７と図８に最もよく示すように、収納スペース８に収納することができる２つの構成部品である。
【００２６】
個々の標的保持部９Ａ／９Ｂは、携帯用ケース２に関して個々の標的７Ａ／７Ｂを回転することができるように、駆動軸４に連結することができる。図１、３、４、６に最もよく示すように、個々の標的７Ａ／７Ｂは標的保持部９Ａ／９Ｂから取り外すことができる交換可能な標的板または円盤であってもよく、個々の標的が一旦、射撃されると次の一連の射撃のため他の交換可能な標的に取り換えられる。
【００２７】
携帯用ケース２は、標的７Ａ／７Ｂが駆動軸４上に配設され、駆動軸４により回転されるとき、標的７Ａ／７Ｂをそれぞれ安定的に支持するため、少なくとも２方向に方向付けすることができる。そのような方向は、図１に最もよく示すように水平面上で第１壁に支持され、標的７Ａが鉛直軸周りに回転可能であるように駆動軸４が実質的に鉛直である第１方向と、図４に最もよく示すように水平面上で第２壁に支持され、標的７Ｂが水平軸周りに回転可能であるように駆動軸４が実質的に水平である第２方向とである。
【００２８】
本実施形態では、個々の標的７Ａと７Ｂは実質的に平面的な標的面１０を有し、図１と図４に最もよく示すように露出位置と、図２と５に最もよく示すように隠蔽位置との間を回転することができる。露出位置においては、標的面１０は視野の境界線に実質的に垂直であり、それにより射撃位置から視認することができる。隠蔽位置においては、標的面は視野の境界線に実質的に平行であり、それにより射撃位置から視認することはできない。第１方向では、標的面１０は図１と２に最もよく示すように、露出位置と隠蔽位置の両方で実質的に鉛直である。第２方向では、標的面１０は図４と５のそれぞれに最もよく示すように、露出位置では実質的に鉛直であり隠蔽位置では実質的に水平である。
【００２９】
携帯用ケース２は地面上に自由に任意の方向に配置されるとき、使用中に個々の標的７Ａと７Ｂを安定的に支持し標的装置１の動きを最小限にするような寸法および質量を有している。標的７Ａと７Ｂを撃つのに使用される拳銃および銃弾の型式はまた、十分に安定した支持の提供を確実にするため、携帯用ケース２の寸法および質量を特定する際に考慮される。これにより、安定的な支持を提供する間、標的装置１を起伏のある、またはでこぼこの表面を包含する種々の表面上で使用可能にする。特に、携帯用ケースにより提供される安定的な支持は、標的が撃たれる前、撃たれる間および撃たれた後の移動を最小限にする。これは、標的が撃たれる前のいずれの移動も射手に標的の存在を知らせる可能性があり、標的装置が訓練中の射手に提供する価値を損なうため重要である。標的が撃たれるとき、およびその後の反動の間の安定性はまた、標的装置が倒れないことを保証するために重要である。
【００３０】
従って、従来の射撃練習場に加えて、本考案の標的装置は野原、そして森、低木林地、山地および雪原を含む任意の環境で利用することができ、これにより、射撃状況の非常に現実的な模擬実験を提供する。
【００３１】
ある変形例では、駆動軸４が完全に携帯用ケース２の内部体積およびその側壁６の中に収容されている。アクセス用窓５を備えた携帯用ケース２の側壁６は従って、実質的に平らにまたは平面的な形状に維持され、標的装置１の収納または複数の標的装置の積み重ねを容易にする。
【００３２】
本変形例では、駆動軸４は側壁６を超えアクセス用窓５を介して携帯用ケース２の外方に突出している。標的装置１は更に、携帯用ケース２の側壁６上にアクセス用窓５の周りに配設された保護カバー１４を備えている。図１１に最もよく示すように、保護カバー１４は側壁６から携帯用ケース２の外方に、少なくとも外見上は駆動軸４の範囲で突出しており、これにより、駆動軸を保護している。駆動部３はまた、駆動軸を保護するため駆動軸４周りに一対の回転軸受アッセンブリ１５を備えている。アクセス用窓５では駆動軸周りにＯリング１６が設けられており、ゴミおよび埃など汚染物質の侵入に対しアクセス用窓５を密封している。
【００３３】
駆動部３は更に、駆動制御装置１７とモータ１８を備えており、駆動制御装置はユーザの命令に応えてモータを介し駆動軸４の回転を制御している。駆動部はモータ１８に電力を供給する電池パック１９を有しており、モータは本実施形態においては電動直流モータである。電池パック１９は１２Ｖのニッケル水素電池であり、自動車に使用されているものと同様である。しかし、他の型式の電池パックを他の実施形態の中で特別な設計要件に応じて使用することができる。プーリおよびベルト装置２１を介し駆動軸４に適切な回転速度を付与するため、ギヤボックス２０が駆動部３に設けられており適切なモータ出力との噛み合わせを適用する。
【００３４】
本実施形態では、駆動制御装置１７はモータ１８を制御し、駆動軸４を上述した標的の露出位置と隠蔽位置に対応する互いから９０°変位した２つの位置の間を回転させる。これを容易にするため、駆動部３は駆動軸の２つのそれぞれの回転位置を検出する２つのポジションセンサ２２を包含し、これらポジションセンサ２２は、本実施形態に関し上述した露出位置と隠蔽位置にあり、駆動制御装置１７に対応する信号を送信する。好ましくはポジションセンサはホールセンサであるが、リードスイッチ、光学センサまたは磁気検波器など他のポジションセンサを利用することができる。
【００３５】
また、本実施形態では、駆動制御装置１７は無線の指令信号を受信しモータ１８を制御している。好ましくは、駆動制御装置１７は複数の周波数帯域で無線の指令信号を受信することができ、無線の指令信号を受信する１つの周波数帯域を選択する周波数帯域選択スイッチ２３を包含している。特に、駆動制御装置１７は無線の指令信号を受信する無線信号受信機２４を備え、本実施形態では無線信号受信機２４は９１５ＭＨｚ  ＩＳＭ  ＲＦ受信機である。他の実施形態では、しかし他の型式の無線信号受信機または送受信機を使用することができる。駆動制御装置１７は更に、駆動制御装置の種々の要素から受信したデータを処理し、これら要素に指示を発する超小型演算装置を備えている。
【００３６】
標的装置１は更に、ユーザからの命令を受信すると共に駆動制御装置１７より、特に無線信号受信機２４より受信するため無線信号送信機２７を介し対応する無線命令信号を送信する遠隔制御装置２６を備えている。本実施形態では、無線信号送信機２７は９１５ＭＨｚ  ＩＳＭ  ＲＦ送信機である。他の実施形態ではしかし、他の型式の無線信号送信機または送受信機を使用してもよい。遠隔制御装置２６は複数の周波数帯域で無線の指令信号を送信することができ、無線の指令信号を送信する１つの周波数帯域を選択する周波数帯域選択スイッチ２８を包含している。遠隔制御装置２６はＡＡサイズ電池３８により電力を供給されており、ユーザの命令を受信するキー操作部２９を備えている。しかし、遠隔制御装置に電力を供給すること、およびタッチセンサ式スクリーンなどユーザの命令を受信することに関し他の方法を採用することができる。
【００３７】
本実施形態では、遠隔制御装置２６は無線の指令信号をそれぞれが個別に離れた携帯用ケース２の中にある複数の駆動制御装置１７に送信することができ、これにより複数の標的７Ａまたは７Ｂを射撃領域に配置することができる。遠隔制御装置２６は複数の選択ボタン３０を備えており、それぞれが個々の１つの駆動制御装置１７に対応している。ＬＥＤ３１は個々の選択ボタン３０に対応しており、選択ボタンに対応している駆動制御装置１７を選択するためユーザにより１つの選択ボタンが押圧されたときに表示する。時間遅延ボタン３２は、ユーザが上述したように選択された駆動制御装置１７が対応する標的７Ａまたは７Ｂを隠蔽位置から露出位置まで移動させる前の遅延時間を選択可能にするため包含されている。更にＬＥＤ３３は個々の時間遅延ボタンに対応し、１つの時間遅延ボタンがユーザにより押圧されたときに表示する。
【００３８】
送りボタン３４は遠隔制御装置２６上に設けられており、ユーザにより押圧されたときに遠隔制御装置から、選択された遅延時間などユーザに選択された命令または設定を送信し、これによりユーザは命令が発せられたときに正確に切り替えることができる。ＰＩＤセンサ３５がまた、遠隔制御装置の近くで動きを検出するため遠隔制御装置２６に設けられており、動きを検出すると対応する無線指令信号を駆動制御装置１７に受信されるように送信することができる。これは例えば射手の存在を検知し、指令信号を送信して標的７Ａまたは７Ｂを露出位置まで移動させるために使用することができる。遠隔制御装置２６は遠隔制御装置のオンまたはオフを切り替えるオン／オフスイッチ３６を有している。遠隔制御装置が必要とされていないときに電池の電力を抑え、遠隔制御装置をオフにすることにより、意図しない命令が送信されることがないように保護する。遠隔制御装置２６はまた、遠隔制御装置の種々の構成要素から受信したデータを処理し、これらの構成要素に命令を発する超小型演算装置３７を有している。
【００３９】
しかし、ユーザの入力を受信するボタンと他の機構との他の組合せを有する、駆動制御装置１７の操作を制御する他の方法が、他の実施形態の中で特徴付けることができる。例えば、駆動制御装置は特定の順番で標的を露出し隠すようにプログラムすることができ、ユーザがプログラムを組み立て、またはこのプログラムを開始もしくは終了することを可能にするため、遠隔制御装置は他のボタンまたはタッチスクリーン式入力装置を備えることができる。更に、駆動制御装置１７と遠隔制御装置２６のそれぞれにある周波数帯域選択スイッチ２３と２８は、複数群の駆動制御装置を同じまたは異なる遠隔制御装置により種々の周波数で制御することを可能にする。上述した遠隔制御装置に加えて、他の制御装置を駆動制御装置１７を制御するために使用することもできる。例えば、上述した遠隔制御装置と同様の機能を備えた有線の制御装置を使用することができる。例えば、ユーザは射撃訓練が始まる前にプログラムをプリセットすることができるように、ボタンを携帯用ケース２または駆動制御装置１７そのものの上に設けることができる。
【００４０】
使用中、標的装置は所望の射撃場所に輸送される。携帯用ケース２の蓋１１がそれから開放され、ユーザは携帯用ケースの内側の収納スペース８から所望の標的保持部９Ａまたは９Ｂを取り出すことができる。その後、携帯用ケース２はしっかりと閉じられ、所望の標的保持部９Ａまたは９Ｂが簡単に駆動軸４に接続される。携帯用ケース２はそれから所望の射撃場所で望まれる方向に設置される。適切な標的７Ａまたは７Ｂが標的保持部９Ａまたは９Ｂに取り付けられた後、標的装置１は射手により射撃の準備がされる。ユーザは、隠蔽位置から露出位置まで、所望の時間に遠隔制御装置２６または他の制御装置を使用して、実時間に直接または上述したプリセットされたプログラムを介し標的７Ａまたは７Ｂを回転させる。
【００４１】
本考案は、従来技術を超える大きな利点を提供する。本考案の標的装置は、起伏のある、およびでこぼこの地形を包含する多岐にわたる面上で、幅広い銃器と銃弾を用いて射撃される前、射撃されている間および射撃されたあと、射撃の標的を安定に保持する。本標的装置は複数の方向に方向付けることができ、これにより標的を種々の位置から露出し、および隠すことができる。特に、標的装置は鉛直および水平の回転軸周りに回転する標的を提供する。
【００４２】
本考案の標的装置は、使用されていないときは内蔵型の携帯用ケースの形をとることができるので、標的装置は簡単に搬送し保管することができる。特に、標的装置は、取っ手を備えたスーツケースに似ており、使用されていないときに標的保持部や標的など標的装置の構成要素を収容することができる携帯用ケースを備えているが、使用中には標的に安定性を付与する機能を果たす。特に標的装置の構成要素が輸送中および保管中にバラバラになる、損傷する、または紛失するリスクは、前記構成要素が標的装置自身の内側に収容されているので最小限になる。
【００４３】
従って、本考案は多用途で、種々の環境において多くの射撃訓練の状況で使用することができ、多くの異なる標的の配置を可能にする標的装置を提供するので、現実的な射撃の模擬実験を提供する。本考案により提供される標的装置は簡単に搬送、保管、および野原に配置することができ、個々の標的装置の構成要素は一緒に、単一の内蔵型ユニット内に収容することができる。
【００４４】
本考案を特定の例を参照しながら説明したが、当業者により本考案を多くの他の形態で具体化することができると評価されるべきである。当業者によりまた、説明した種々の例の特徴は多くの他の組合せで組み合わせることができると評価されるべきである。
【符号の説明】
【００４５】
１  標的装置
２  携帯用ケース
３  駆動部
４  駆動軸
５  アクセス用窓
７  標的
９  標的保持部
１０  標的面
１７  駆動制御装置
１８  モータ
２２  ポジションセンサ
２３、２８  周波数帯域選択スイッチ
２６  遠隔制御装置
３５  ＰＩＤセンサ
【図１】
0003164121.tif 000003
【図２】
0003164121.tif 000004
【図３】
0003164121.tif 000005
【図４】
0003164121.tif 000006
【図５】
0003164121.tif 000007
【図６】
0003164121.tif 000008
【図７】
0003164121.tif 000009
【図８】
0003164121.tif 000010
【図９】
0003164121.tif 000011
【図１０】
0003164121.tif 000012
【図１１】
0003164121.tif 000013
【図１２】
0003164121.tif 000014
【図１３】
0003164121.tif 000015
【図１４】
0003164121.tif 000016
【図１５】
0003164121.tif 000017